(57)【要約】【課題】眼鏡の非使用状態で、眼鏡にコンパクトに収納できるとともに、導光部の破損を有効に防止できる眼鏡装着型画像表示装置を提供する。【解決手段】眼鏡10に着脱自在または固定的に装着される眼鏡装着型画像表示装置20であって、画像光を射出する本体部21と画像光を導光する導光部22とを備え、導光部22が眼鏡レンズ13Rの前方に配置されて、使用者が眼鏡レンズ13Rを通して画像光による画像を観察可能な第１の状態と、眼鏡10のテンプル部11Rが眼鏡レンズ13R側に折りたたまれた状態で、導光部22が眼鏡10の左右の眼鏡レンズ13L,13R間に収納される第２の状態と、に選択的に遷移可能に構成する。【選択図】図１
2011197314.tif 000002
【特許請求の範囲】
【請求項１】
眼鏡に着脱自在または固定的に装着される眼鏡装着型画像表示装置であって、
画像光を射出する本体部と前記画像光を導光する導光部とを備え、
前記導光部が眼鏡レンズの前方に配置されて、使用者が前記眼鏡レンズを通して前記画像光による画像を観察可能な第１の状態と、
前記眼鏡のテンプル部が前記眼鏡レンズ側に折りたたまれた状態で、前記導光部が前記眼鏡の左右の眼鏡レンズ間に収納される第２の状態と、
に選択的に遷移可能に構成した、ことを特徴とする眼鏡装着型画像表示装置。
【請求項２】
前記本体部を前記テンプル部に回動可能に支持する本体部回動支持部を備え、
前記導光部を、前記本体部と一体に前記本体部回動支持部を介して前記テンプル部に対し回動させて、前記第１の状態または前記第２の状態に遷移可能に構成した、ことを特徴とする請求項１に記載の眼鏡装着型画像表示装置。
【請求項３】
前記導光部を前記本体部に回動可能に支持する導光部回動支持部を備え、
前記導光部を、前記導光部回動支持部を介して前記本体部に対して回動させて、前記第１の状態または前記第２の状態に遷移可能に構成した、ことを特徴とする請求項１に記載の眼鏡装着型画像表示装置。
【請求項４】
前記眼鏡のヒンジ部に回動可能に支持される中継部と、該中継部に前記本体部を回動可能に支持する回動支持部と、を備え、
前記導光部を前記本体部と一体に、前記回動支持部を介して前記中継部に対して回動させるとともに、前記導光部を前記本体部および前記中継部と一体に、前記ヒンジ部を軸に回動させて、前記第１の状態または前記第２の状態に遷移可能に構成した、ことを特徴とする請求項１に記載の眼鏡装着型画像表示装置。
【請求項５】
前記第２の状態下において、前記眼鏡の端部から前記導光部の回動中心軸までの寸法をａ、前記眼鏡のブリッジ部の中心から前記回動中心軸までの寸法をｂとするとき、ｂ＞ａを満たすように前記回動中心軸を設定した、ことを特徴とする請求項２〜４のいずれか一項に記載の眼鏡装着型画像表示装置。
【発明の詳細な説明】
【技術分野】
【０００１】
本発明は、眼鏡装着型画像表示装置に関するものである。
【背景技術】
【０００２】
従来、画像表示装置として、例えば、眼鏡のテンプル部に着脱自在に取り付けられる表示素子を有する本体部と、該本体部に回動可能に結合されて表示素子に表示された画像を眼球に導く導光部とを備えた眼鏡装着型画像表示装置が知られている（例えば、特許文献１参照）。
【０００３】
この従来の眼鏡装着型画像表示装置は、使用者が眼鏡を装着して、導光部を眼鏡レンズの前方に位置させた状態で、導光部の射出部を覗くことにより、本体部の表示素子に表示された画像の拡大虚像を観察可能としている。また、使用者が眼鏡を装着した状態で、画像を観察しない場合は、導光部を眼前から外側に、本体部に対してほぼ２７０度回動させて本体部の外側に折りたたむことにより、導光部が視界に入らないようにしている。
【先行技術文献】
【特許文献】
【０００４】
【特許文献１】特表２００１−５２２０６４号公報
【発明の概要】
【発明が解決しようとする課題】
【０００５】
しかしながら、上記特許文献１に開示の眼鏡装着型画像表示装置は、導光部を本体部に対してその外側に折りたたむ構造となっている。このため、導光部が折りたたまれた状態では、表示装置全体がテンプル部から外側に突出することになる。その結果、本体部をテンプル部に装着した状態で、本体部に対して導光部を折りたたむとともに、テンプル部をヒンジ部により眼鏡レンズ側に折りたたんで、眼鏡をケースやポケットに収納する場合を想定すると、テンプル部から突出した導光部が邪魔になって収納に支障をきたしたり、突出した導光部がケース等に衝突して破損したりすることが懸念される。このような懸念は、本体部がテンプル部に固定的に装着された眼鏡一体型の眼鏡装着型画像表示装置においても、同様に生じるものである。
【０００６】
したがって、かかる点に鑑みてなされた本発明の目的は、眼鏡のテンプル部が眼鏡レンズ側に折りたたまれた眼鏡の非使用状態で、眼鏡にコンパクトに収納できるとともに、導光部の破損を有効に防止できる眼鏡装着型画像表示装置を提供することにある。
【課題を解決するための手段】
【０００７】
上記目的を達成する本発明は、眼鏡に着脱自在または固定的に装着される眼鏡装着型画像表示装置であって、
画像光を射出する本体部と前記画像光を導光する導光部とを備え、
前記導光部が眼鏡レンズの前方に配置されて、使用者が前記眼鏡レンズを通して前記画像光による画像を観察可能な第１の状態と、
前記眼鏡のテンプル部が前記眼鏡レンズ側に折りたたまれた状態で、前記導光部が前記眼鏡の左右の眼鏡レンズ間に収納される第２の状態と、
に選択的に遷移可能に構成した、ことを特徴とするものである。
【０００８】
このように、眼鏡装着型画像表示装置の収納状態である第２の状態において、導光部を左右の眼鏡レンズ間に配置すれば、眼鏡のテンプル部を折りたたんだ眼鏡の非使用状態下における左右の眼鏡レンズ間のデッドスペースの有効利用が図れる。したがって、眼鏡装着型画像表示装置を眼鏡にコンパクトに収納できるとともに、導光部の破損を防止でき、使用者により眼鏡を持ち歩くように携帯することが可能となる。
【０００９】
本発明の一態様においては、眼鏡装着型画像表示装置の本体部を眼鏡のテンプル部に回動可能に支持する本体部回動支持部を設け、この本体部回動支持部を介して、眼鏡装着型画像表示装置の導光部を、本体部と一体にテンプル部に対し回動させて、観察可能状態である第１の状態または収納状態である第２の状態に遷移可能に構成する。
【００１０】
このように、眼鏡装着型画像表示装置の本体部と導光部とを一体に回動させて、第１の状態または第２の状態に遷移させれば、使用者は、所望の状態に容易に遷移させることが可能となる。その結果、使用者は、例えば、第１の状態である観察可能状態から、眼鏡を折りたたんで、第２の状態である収納状態までを素早く行うことが可能となる。
【００１１】
本発明の一態様においては、眼鏡装着型画像表示装置の導光部を本体部に回動可能に支持する導光部回動支持部を設け、この導光部回動支持部を介して、導光部を本体部に対して回動させて、観察可能状態である第１の状態または収納状態である第２の状態に遷移可能に構成する。
【００１２】
これにより、導光部を本体部に対して回動させて、同様に、第１の状態または第２の状態の所望の状態に容易に遷移させることが可能となる。その結果、使用者は、例えば、第１の状態である観察可能状態から、眼鏡を折りたたんで、第２の状態である収納状態までを素早く行うことが可能となる。
【００１３】
本発明の一態様においては、眼鏡のヒンジ部に回動可能に支持される中継部と、該中継部に眼鏡装着型画像表示装置の本体部を回動可能に支持する回動支持部と、を設け、眼鏡装着型画像表示装置の導光部を本体部と一体に、回動支持部を介して中継部に対して回動させるとともに、導光部を本体部および中継部と一体に、ヒンジ部を軸に回動させて、観察可能状態である第１の状態または収納状態である第２の状態に遷移可能に構成する。
【００１４】
これにより、同様に、眼鏡装着型画像表示装置を第１の状態または第２の状態の所望の状態に容易に遷移させることができ、使用者は、例えば、第１の状態である観察可能状態から、眼鏡を折りたたんで、第２の状態である収納状態までを素早く行うことが可能となる。
【００１５】
本発明の一態様においては、上記の回動機構を有する眼鏡装着型画像表示装置において、第２の状態下において、眼鏡の端部から導光部の回動中心軸までの寸法をａ、眼鏡のブリッジ部の中心から前記回動中心軸までの寸法をｂとするとき、ｂ＞ａを満たすように前記回動中心軸を設定する。
【００１６】
このように、回動中心軸に対する寸法条件を設定すれば、眼鏡装着型画像表示装置の第１の状態および第２の状態において、導光部を眼鏡の構成部材に干渉することなくそれぞれ最適な位置に配置することが可能となる。
【発明の効果】
【００１７】
本発明によれば、眼鏡のテンプル部が折りたたまれた眼鏡の非使用状態で、眼鏡装着型画像表示装置を、その導光部が眼鏡の左右の眼鏡レンズ間に収納された第２の状態に遷移可能に構成したので、眼鏡装着型画像表示装置を眼鏡にコンパクトに収納できるとともに、導光部の破損を有効に防止すること可能となる。
【図面の簡単な説明】
【００１８】
【図１】本発明の第１実施の形態に係る眼鏡装着型画像表示装置の要部の構成を示す概略平面図である。
【図２】図１に示す眼鏡の非使用状態を示す概略平面図である。
【図３】図１に示す眼鏡装着型画像表示装置の第２の状態を示す概略平面図である。
【図４】図３に示す第２の状態の眼鏡装着型画像表示装置を一般的な眼鏡ケースへ収納した状態を示す図である。
【図５】本発明の第２実施の形態に係る眼鏡装着型画像表示装置の要部の構成を示す概略平面図である。
【図６】図５に示す眼鏡の非使用状態を示す概略平面図である。
【図７】図５に示す眼鏡装着型画像表示装置の第２の状態を示す概略平面図である。
【図８】図７に示す第２の状態の眼鏡装着型画像表示装置を一般的な眼鏡ケースへ収納した状態を示す図である。
【図９】本発明の第３実施の形態に係る眼鏡装着型画像表示装置の要部の構成を示す概略平面図である。
【図１０】図９に示す眼鏡の非使用状態を示す概略平面図である。
【図１１】図１０に示す本体部を回動させた状態を示す図である。
【図１２】図９に示す眼鏡装着型画像表示装置の第２の状態を示す概略平面図である。
【図１３】図９に示す中継部および回動支持部の一例の構成を示す斜視図である。
【図１４】本発明の第４実施の形態に係る眼鏡装着型画像表示装置の第１の状態および第２の状態を示す概略平面図である。
【発明を実施するための形態】
【００１９】
以下、本発明の実施の形態について、図を参照して説明する。
【００２０】
（第１実施の形態）
図１は、本発明の第１実施の形態に係る眼鏡装着型画像表示装置の要部の構成を示す概略平面図である。この眼鏡装着型画像表示装置２０は、眼鏡１０に着脱自在または固定的に装着されるもので、本体部２１、導光部２２および本体部回動支持部２３を有する。本体部２１は、本体部回動支持部２３を介して、眼鏡１０の左右のテンプル部１１Ｌ，１１Ｒの一方、図１では右側のテンプル部１１Ｒの外側に装着される。この本体部２１には、図示しないが、観察すべき画像を表示する液晶表示素子や有機ＥＬ素子等の表示素子、該表示素子に画像を表示するための周辺回路等が内蔵されている。そして、本体部２１は、内部の表示素子に表示された画像の画像光を、導光部２２に向けて射出する。
【００２１】
導光部２２は、本体部２１に結合して、図１に示すように、左右のテンプル部１１Ｌ，１１Ｒが、対応するヒンジ部１２Ｌ，１２Ｒを軸として外側に開かれた状態、すなわち眼鏡１０の使用可能状態において、右側の眼鏡レンズ１３Ｒの前方に延在して配置可能に構成する。
【００２２】
本体部回動支持部２３は、テンプル部１１Ｒに着脱自在または固定的に装着されて、図１に示す状態で、本体部２１を導光部２２と一体に、紙面に対して垂直な面内で回動可能に支持する。この回動支持機構は、例えば、ボールジョイントを有して構成したり、本体部回動支持部２３側に凸部または凹部を形成し、それと回動可能に嵌合する凹部または凸部を本体部２１側に形成したりする等、公知の任意の構成が適用可能である。
【００２３】
本実施の形態では、図１に示すように、導光部２２が眼鏡レンズ１３Ｒの前方に配置された状態を、眼鏡装着型画像表示装置２０による画像の観察可能状態である第１の状態とする。そして、この第１の状態において、使用者（図示せず）が眼鏡１０を装着した状態で、本体部２１から射出される画像光を、導光部２２によりその一端部側から他端部側に向けて複数回反射させて導光して、眼鏡レンズ１３Ｒを通して使用者の対応する眼球に向けて射出可能とする。これにより、使用者は、例えば、導光部２２の画像光の射出部に視線を向けることで、入射する画像光による画像、すなわち、本体部２１の表示素子に表示された画像の拡大虚像を観察することが可能となる。
【００２４】
ここで、眼鏡１０を収納するため、図１に示す眼鏡装着型画像表示装置２０の第１の状態から、左右のテンプル部１１Ｌ，１１Ｒを対応するヒンジ部１２Ｌ，１２Ｒを軸として内側に折りたたむと、図２に示すような状態となる。しかし、図２に示す状態では、導光部２２が眼鏡１０の端部から右側に突出するため、そのままでは一般的な眼鏡ケースへの収納が困難となり、また、ポケット等に収納する際に導光部２２を損傷し易くなる。
【００２５】
そのため、本実施の形態では、図２に示す眼鏡１０の非使用状態下において、本体部回動支持部２３に対し、本体部２１を導光部２２と一体に、紙面に対し垂直な面内で、かつ眼鏡レンズ１３Ｒの下側周縁に沿ってほぼ１８０度回動可能に構成する。これにより、図３に示すように、眼鏡装着型画像表示装置２０を、導光部２２が眼鏡１０のブリッジ部１４の下方で、左右の眼鏡レンズ１３Ｌ，１３Ｒ間、より具体的には左右の鼻当て部１５Ｌ，１５Ｒ間に配置された収納状態である第２の状態に遷移させる。
【００２６】
このように構成すれば、眼鏡装着型画像表示装置２０は、図３に示す第２の状態において、導光部２２が左右の眼鏡レンズ１３Ｌ，１３Ｒ間のデッドスペースに配置されることになるので、眼鏡１０の非使用状態下において、眼鏡装着型画像表示装置２０は眼鏡１０にコンパクトに収納される。これにより、眼鏡装着型画像表示装置２０が眼鏡１０に着脱自在な場合であっても、当該眼鏡装着型画像表示装置２０を眼鏡１０に装着したまま、図４に示すような一般的な眼鏡ケース３０や、服のポケット等に容易に収納することが可能となる。しかも、導光部２２は、眼鏡１０のデッドスペースを利用して収納されるので、使用者は眼鏡１０を持ち歩くように携帯することができ、また、眼鏡１０を収納する際にも、導光部２２を引っ掛けて破損するのを防止することができる。また、本体部２１と導光部２２とを一体に回動させて、第１の状態または第２の状態に遷移させるので、使用者は、所望の状態に容易に遷移させることができ、第１の状態である観察可能状態から、眼鏡１０を折りたたんで、第２の状態である収納状態までを素早く行うことができる。
【００２７】
（第２実施の形態）
図５は、本発明の第２実施の形態に係る眼鏡装着型画像表示装置の要部の構成を示す概略平面図である。この眼鏡装着型画像表示装置４０は、第１実施の形態に示した眼鏡装着型画像表示装置２０において、本体部２１が、眼鏡１０の右側のテンプル部１１Ｒに着脱自在または固定的に装着される本体支持部２４の外側に固定される。また、導光部２２は、保持部材２５に保持され、該保持部材２５が、本体部２１の外側に設けられた保持部材支持部２６に、図５の紙面に対して垂直面内で回動可能に支持される。したがって、本実施の形態において、保持部材２５および保持部材支持部２６は、導光部２２を本体部２１に回動可能に支持する導光部回動支持部を構成する。
【００２８】
なお、保持部材支持部２６による保持部材２５の回動支持機構は、第１実施の形態の本体部回動支持部２３の回動支持機構と同様に、例えば、ボールジョイントを有して構成したり、保持部材支持部２６側に凸部または凹部を形成し、それと回動可能に嵌合する凹部または凸部を保持部材２５側に形成したりする等、公知の任意の構成が適用可能である。
【００２９】
本実施の形態では、図５に示すように、導光部２２が眼鏡レンズ１３Ｒの前方に配置された状態を、眼鏡装着型画像表示装置４０による画像の観察可能状態である第１の状態とする。そして、この第１の状態において、使用者（図示せず）が眼鏡１０を装着した状態で、本体部２１から射出される画像光を、導光部２２によりその一端部側から他端部側に向けて複数回反射させて導光して、眼鏡レンズ１３Ｒを通して使用者の対応する眼球に向けて射出可能とする。これにより、第１実施の形態の場合と同様に、使用者は、本体部２１の表示素子に表示された画像の拡大虚像を観察することが可能となる。
【００３０】
また、図６に示すように、テンプル部１１Ｌ，１１Ｒが折りたたまれた眼鏡１０の非使用状態下において、保持部材支持部２６に対し、導光部２２を保持部材２５と一体に、紙面に対して垂直面内で、眼鏡レンズ１３Ｒの下側周縁に沿ってほぼ１８０度回動可能に構成する。これにより、図７に示すように、眼鏡装着型画像表示装置４０を、導光部２２が眼鏡１０の左右の眼鏡レンズ１３Ｌ，１３Ｒ間に配置された収納状態である第２の状態に遷移させる。
【００３１】
このように構成すれば、導光部２２は、図６に示したように眼鏡１０から右側に突出することなく、図７に示す第２の状態において、眼鏡１０のブリッジ部１４の下方で、左右の眼鏡レンズ１３Ｌ，１３Ｒ間、より具体的には、左右の鼻当て部１５Ｌ，１５Ｒ間のデッドスペースに配置されるので、第１実施の形態と同様、眼鏡１０の非使用状態下において、眼鏡装着型画像表示装置４０を眼鏡１０にコンパクトに収納することができる。したがって、第１実施の形態と同様に、眼鏡装着型画像表示装置４０が眼鏡１０に着脱自在な場合であっても、当該眼鏡装着型画像表示装置４０を眼鏡１０に装着したまま、図８に示すような一般的な眼鏡ケース３０や、服のポケット等に容易に収納することが可能となる。しかも、導光部２２は、眼鏡１０のデッドスペースを利用して収納されるので、眼鏡１０を収納する際に導光部２２を引っ掛けて破損するのを防止することができる。
【００３２】
（第３実施の形態）
図９は、本発明の第３実施の形態に係る眼鏡装着型画像表示装置の要部の構成を示す概略平面図である。この眼鏡装着型画像表示装置５０は、第１実施の形態に示した眼鏡装着型画像表示装置２０において、眼鏡１０のヒンジ部１２Ｒに、図９の紙面内で回動可能に中継部５１の一端部を支持する。また、本体部２１には、回動支持部５２を設け、この回動支持部５２を介して、本体部２１を中継部５１の他端部に、図９の紙面垂直面内で回動可能に支持する。
【００３３】
本実施の形態においては、図９に示す眼鏡１０の使用可能状態において、眼鏡装着型画像表示装置５０を、導光部２２が右側の眼鏡レンズ１３Ｒの前方に延在する画像の観察可能状態である第１の状態とする。そして、この第１の状態において、使用者（図示せず）が眼鏡１０を装着した状態で、第１実施の形態と同様に、本体部２１から射出される画像光を、導光部２２によりその一端部側から他端部側に向けて複数回反射させて導光して、眼鏡レンズ１３Ｒを通して対応する眼球に向けて射出可能とする。これにより、第１実施の形態の場合と同様に、使用者は、本体部２１の表示素子に表示された画像の拡大虚像を観察することが可能となる。
【００３４】
また、図１０に示すように、テンプル部１１Ｌ，１１Ｒが折りたたまれた眼鏡１０の非使用状態下において、導光部２２を本体部２１と一体に、回動支持部５２を介して紙面垂直面内でほぼ１８０度回動可能に構成する。これにより、図１１に示すように、本体部２１および導光部２２を、図１０の向きとは反対の状態に配置する。そして、図１１の状態から、本体部２１、導光部２２および中継部５１を一体に、ヒンジ部１２Ｒを軸に紙面内でほぼ９０度回動可能に構成する。これにより、図１２に示すように、眼鏡装着型画像表示装置５０を、導光部２２が眼鏡１０のブリッジ部１４の下方で、左右の眼鏡レンズ１３Ｌ，１３Ｒ間に配置された収納状態である第２の状態に遷移させる。
【００３５】
なお、中継部５１は、例えば、図１３に示すように、長尺な板状に形成し、その一端部に、ヒンジ部１２Ｒを構成するねじが貫通して該中継部５１をヒンジ部１２Ｒに回動可能に装着するための取り付け穴５１ａを形成する。取り付け穴５１ａは、好適には、眼鏡１０に対する眼鏡装着型画像表示装置５０の前後方向の位置を調整可能に長穴形状に形成する。また、回動支持部５２は、例えばボールジョイント５３で構成する。ボールジョイント５３は、ボール５３ａを本体部２１側に取り付け、ボール５３ａの受け部材５３ｂを中継部５１の後端部に連結して、受け部材５３ｂに設けられているビス５３ｃの締め込み量を適切に調整することにより、眼鏡装着型画像表示装置５０を第１の状態および第２の状態に選択的に遷移可能に構成する。
【００３６】
本実施の形態においても、眼鏡１０が非使用状態下にある眼鏡装着型画像表示装置５０の第２の状態では、導光部２２を左右の眼鏡レンズ１３Ｌ，１３Ｒ間、より具体的には、左右の鼻当て部１５Ｌ，１５Ｒ間のデッドスペースに配置するようにしたので、眼鏡装着型画像表示装置５０を眼鏡１０にコンパクトに収納することができる。したがって、第１実施の形態および第２実施の形態と同様の効果を得ることができる。しかも、本実施の形態では、眼鏡装着型画像表示装置４０が配置される側のテンプル部１１Ｒの折りたたみ動作と、導光部２２の第２の状態への収納動作とを独立して行うことができるので、使い勝手を向上することができる。なお、導光部２２の収納動作においては、テンプル部１１Ｒを折りたたんだ図１０の状態から、本体部２１、導光部２２および中継部５１を一体に、ヒンジ部１２Ｒを軸に紙面内でほぼ９０度回動させ、その後、本体部２１および導光部２２を一体に、回動支持部５２を介して、紙面垂直面内で、眼鏡レンズ１３Ｒの下側周縁に沿ってほぼ１８０度回動させて、導光部２２を左右の眼鏡レンズ１３Ｌ，１３Ｒ間のデッドスペースに収納してもよい。
【００３７】
（第４実施の形態）
本発明の第４実施の形態は、上記実施の形態に示したように、導光部の回動動作を含んで、眼鏡装着型画像表示装置を、導光部が眼鏡レンズの前方に配置される画像観察可能状態である第１の状態と、導光部が眼鏡のブリッジ部の下方で、左右の眼鏡レンズ間に収納される収納状態である第２の状態とに選択的に遷移させる場合において、第２の状態における眼鏡の端部（ヒンジ部が位置する側）から導光部の回動中心軸までの寸法と、眼鏡のブリッジ部の中心から導光部の回動中心軸までの寸法との関係を適切に設定する。ここで、導光部の回動中心軸は、例えば、第１実施の形態の場合は、本体部回動支持部２３による本体部２１の回動中心軸に相当し、第２実施の形態の場合は、保持部材支持部２６による保持部材２５の回動中心軸に相当し、第３実施の形態の場合は、回動支持部５２による本体部２１の回動中心軸に相当する。以下、第１実施の形態の構成を例にとって説明する。
【００３８】
図１４は、本発明の第４実施の形態に係る眼鏡装着型画像表示装置の要部の構成を示す概略平面図であり、図１４（ａ）は眼鏡装着型画像表示装置の第１の状態を示し、図１４（ｂ）は眼鏡装着型画像表示装置の第２の状態を示す。本実施の形態においては、図１４（ｂ）に示す眼鏡装着型画像表示装置２０の第２の状態において、本体部２１が配置されている眼鏡１０の端部（ヒンジ部１２Ｒが位置する側）から、導光部２２の回動中心軸に相当する本体部２１の回動中心軸までの寸法をａ、左右の眼鏡レンズ１３Ｌ，１３Ｒの中心である眼鏡１０のブリッジ部１５の中心から本体部２１の回動中心軸までの寸法をｂとするとき、ｂ＞ａを満たすように、本体部２１の回動中心軸、すなわち導光部２２の回動中心軸を設定する。
【００３９】
このように構成すれば、図１４（ａ）に示す眼鏡装着型画像表示装置２０の画像観察可能な第１の状態では、導光部２２は対応する眼鏡レンズ１３Ｒの前方に配置され、図１４（ｂ）に示す眼鏡装着型画像表示装置２０の収納状態である第２の状態では、導光部２２は眼鏡１０のブリッジ部１４の下方で、左右の眼鏡レンズ１３Ｌ，１３Ｒ間、より具体的には、左右の鼻当て部１５Ｌ，１５Ｒ間に配置されるので、上記実施の形態と同様の効果が得られる。しかも、本実施の形態の場合、眼鏡装着型画像表示装置２０の第２の状態では、導光部２２は、ブリッジ部１４の中央部に相当するスペースに収納されるので、鼻当て部１５Ｌ，１５Ｒの間隔が多少左右にずれていても、鼻当て部１５Ｌ，１５Ｒに当接することなく、鼻当て部１５Ｌ，１５Ｒ間に確実に収納配置することができ、導光部２２の破損をより確実に防止することが可能となる。したがって、眼鏡装着型画像表示装置２０の第１の状態および第２の状態において、導光部２２を眼鏡１０の構成部材に干渉することなくそれぞれ最適な位置に配置することが可能となる。
【００４０】
なお、本発明は、上記実施の形態にのみ限定されるものではなく、幾多の変形または変更が可能である。例えば、本発明に係る眼鏡装着型画像表示装置は、右眼側に限らず、左眼側、あるいは両眼側に着脱自在または固定的に装着することもできる。また、眼鏡装着型画像表示装置は、第２の状態において、導光部を左右の眼鏡レンズ間に位置すればよく、必ずしも左右の鼻当て部間に配置する必要はない。したがって、第２の状態において、導光部を、例えば、ブリッジ部上方の左右の眼鏡レンズ間のデッドスペースに配置したり、ブリッジ部下方の左右の眼鏡レンズ間で、左右の鼻当て部間を外れたデッドスペースに配置したりすることも可能である。
【符号の説明】
【００４１】
１０  眼鏡
１１Ｌ，１１Ｒ  テンプル部
１２Ｌ，１２Ｒ  ヒンジ部
１３Ｌ，１３Ｒ  眼鏡レンズ
１４  ブリッジ部
１５Ｌ，１５Ｒ  鼻当て部
２０，４０，５０  眼鏡装着型画像表示装置
２１  本体部
２２  導光部
２３  本体部回動支持部
２４  本体支持部
２５  保持部材
２６  保持部材支持部
３０  眼鏡ケース
５１  中継部
５２  回動支持部
５３  ボールジョイント
【図１】
2011197314.tif 000003
【図２】
2011197314.tif 000004
【図３】
2011197314.tif 000005
【図４】
2011197314.tif 000006
【図５】
2011197314.tif 000007
【図６】
2011197314.tif 000008
【図７】
2011197314.tif 000009
【図８】
2011197314.tif 000010
【図９】
2011197314.tif 000011
【図１０】
2011197314.tif 000012
【図１１】
2011197314.tif 000013
【図１２】
2011197314.tif 000014
【図１３】
2011197314.tif 000015
【図１４】
2011197314.tif 000016